(57)【要約】【課題】従来のラップ容器であれば紙成型による使い捨ての場合が多く、使用頻度に応じ型崩れし易くトラブルが発生し易かつた。又使用後は箱と刃を分別処理しなければならず手間が掛かり、資源の無駄にも繋がった。又使用に際しては、ラップの巻き戻りや摘みだし部分の破損によるトラブルも発生し易かった。【解決手段】切断刃（７）を容器上蓋（２）と一体樹脂成型とし、使用後の分別処理を省く。ラップを切断する刃（７）は露出を無くし安全性を保つ。又切断力のアップを図るため容器本体（１）にラップ面を固定する溝２（１０）を設ける。又ラップの巻き戻り防止及びラップをスムーズに引き出せる機能を有する溝１（９）を容器本体（１）に設ける。【選択図】  図１
2004250092.tif 000002
【特許請求の範囲】
【請求項１】
食品の保存、包装用ラップ容器の切断面の刃（歯）を上蓋と一体で樹脂成型し、回収時の刃の分別を解消した容器。
【請求項２】
ラップを切断する際に、ラップ面を切断刃に密着させ、ラップ面を固定し、切断をスムーズにするための機能、及び容器閉口時に切断刃の露出をなくし、安全性にも配慮した機能を有する（溝２）を容器に設ける。
【請求項３】
ラップを取り出す際に、ラップの巻き戻りを防ぎ、容易にラップの端を摘み出しやすくする為の機能を有する（溝１）を容器に設ける。
【請求項４】
ラップを容器に挿入し固定する為のラップ脱着レバーを、容器本体と一体樹脂成型する事により、簡易に脱着出来る様工夫した容器。
【発明の詳細な説明】
【０００１】
【産業上の利用分野】
この発明は、従来使用されているラップ容器が使用に際し、ラップの巻き戻りや切断時のトラブルが発生していたものを、トラブルを極力無くし、容易に切断出来る様工夫した。又中身のラップを詰め替えるだけで何度か使用できる環境にやさしい、詰め替え用ラップ容器に関するものである。
【０００２】
【従来の技術】
従来より使用されている食品の保存、包装用ラップの容器は、パッケージ箱をそのまま容器として使用している場合が多く、ラップの巻き戻り、切断能力に限界などが有り、何度でもの使用に耐えられず、トラブルが発生し易かった。又使い捨ての場合が多く資源のムダにも繋がった。
【０００３】
【発明が解決しようとする課題】
これには次のような欠点があつた。
（イ）従来のラップ容器であれば紙成型による使い捨ての場合が多く、使用頻度に応じ型崩れし易くトラブルが発生し易かった。
（ロ）使用後の廃棄処理は、刃と箱を分別しなければならず手間が掛かった。
（ハ）ラップを引き出す際に、ラップの巻き戻りや引きちぎれ等のトラブルが発生し易かった。
（ニ）切断刃が露出している為に危険であった。
（ホ）紙成型の場合、使い捨てが多く資源のムダにも繋がつた。
【０００４】
【問題を解決するための手段】
容器を、プラスチック等の容易に整形出来る樹脂で製作し、何度かの使用に耐えうる詰め替え用容器とする。又ラップを挿入し固定させる為のラップ脱着レバー（６）を容器本体（１）に一体樹脂成型で取り付ける。又ラップ切断時の刃（７）は溝２（１０）に挿入し、固定する。その事により切断力のアップを図るとともに刃（７）を露出せず安全性を図る。又刃（７）は上蓋（２）と一体樹脂成型する事により、容器廃棄時の分別手間を省く。又ラップの巻き戻り防止及びラップをスムーズに引き出せる機能を有する溝１（９）を容器本体（１）に設ける。本発明は、以上のような構成よりなる食料品等の保存、包装用ラップの容器である。
【０００５】
【発明の実施の形態】
以下、本発明の実施例について説明する。
（イ）上蓋（２）と切断刃（７）を一体樹脂成型とする。
（ロ）容器本体（１）とラップ脱着レバー（６）を一体樹脂成型とする。
（ハ）容器本体（１）に、上蓋（２）との切断時の結合部分にラップの巻き戻り及びラップをスムーズに引き出す為の機能を有する溝１（９）を設ける。
（ニ）容器本体（１）に、ラップ面を固定しスムーズに切断出来る機能及び切断刃を露出させない機能を有する溝２（１０）を設ける。
本発明は以上のような構造で、これを使用するときは、開閉ロック（４）を解除し、上蓋（２）に設けた開閉用ツマミ（３）を指で押さえ上部に開き、容器本体（１）内部のラップ脱着レバー（６）に、ラップ脱着レバーツマミ（５）を外側に引きラップを挿入固定させる。その上でラップの端を指で引き出し容器本体（１）の溝２（１０）部分に、ラップ切断箇所を押し当て、上蓋（２）と一体成型された刃（７）によりラップを切断する。又ラップを引き出す際には、容器本体（１）に設けた溝１（９）と、上蓋（２）に一体で設けたラップ押さえバー（８）の溝１（９）への挿入により、巻き戻りの防止とラップの端の頭出しを容易にしスムーズな取り出しが可能である。
【０００６】
【発明の効果】
これには次のような効果がある。
（イ）ラップ切断面を固定し切断するので、ラップ素材の伸縮の違いによる切断能力の差を解消する。
（ロ）ラップを切断する為の従来の刃は、上蓋と一体化されてなく廃棄時に分別する必要があった。よって上蓋と刃を一体樹脂成型する事により廃棄時の分別手間が省ける。
（ハ）ラップを引き出す際に、引き出し部分先端の巻き戻りやトラブルが解消され、スムーズにラップを引き出せる。
（ニ）切断刃が露出されておらず安全である。
（ホ）容器本体が樹脂成型の為に、中身のラップを詰め替えるだけで何度かの使用が出来るので、資源の無駄を省き経済的である。
本発明は、これらの効果をもたらすものである。
【図面の簡単な説明】
【図１】本発明の全体斜視図である。
【図２】本発明の開口斜視図である。
【図３】本発明の全体正面図である。
【図４】本発明の全体平面図である。
【図５】本発明の全体右側面図である。
【図６】本発明の全体左側面図である。
【図７】2004250092.tif 000003
【図８】本発明の底面図である。
【図９】本発明の背面図である。
【図１０】本発明の容器本体平面図である。
【図１１】本発明の容器本体右側面図である。（左側面図は右側面図と同一）
【図１２】2004250092.tif 000004
【図１３】本発明の上蓋底面図である。
【図１４】本発明の上蓋右側面図である。
【図１５】2004250092.tif 000005
【図１６】本体容器取り付けの、開閉ロックの配置図である。
【図１７】開閉ロックの正面図である。
【図１８】開閉ロックの背面図である。
【図１９】開閉ロックの右側面図である。（左側面図は右側面図と同一）
【図２０】本体容器と一体成型の、ラップ脱着レバーの配置図である。
【図２１】2004250092.tif 000006
【図２２】ラップ脱着レバーの右側面配置図である。（左側面配置図は右側面と同一）
【図２３】2004250092.tif 000007
【符号の説明】
１．容器本体
２．上蓋
３．開閉用ツマミ
４．開閉ロック
５．ラップ脱着レバーツマミ
６．ラップ脱着レバー
７．刃（歯）
８．ラップ押さえバー
９．溝１
１０．溝２
１１．滑り止めゴム
【図１】
2004250092.tif 000008
【図２】
2004250092.tif 000009
【図３】
2004250092.tif 000010
【図４】
2004250092.tif 000011
【図５】
2004250092.tif 000012
【図６】
2004250092.tif 000013
【図７】
2004250092.tif 000014
【図８】
2004250092.tif 000015
【図９】
2004250092.tif 000016
【図１０】
2004250092.tif 000017
【図１１】
2004250092.tif 000018
【図１２】
2004250092.tif 000019
【図１３】
2004250092.tif 000020
【図１４】
2004250092.tif 000021
【図１５】
2004250092.tif 000022
【図１６】
2004250092.tif 000023
【図１７】
2004250092.tif 000024
【図１８】
2004250092.tif 000025
【図１９】
2004250092.tif 000026
【図２０】
2004250092.tif 000027
【図２１】
2004250092.tif 000028
【図２２】
2004250092.tif 000029
【図２３】
2004250092.tif 000030